(57)【特許請求の範囲】
【請求項１】
複数のバンクを有し、各バンクに複数のレジストレーションデータをそれぞれ記憶したレジストレーションデータ記憶手段と、
複数のバンクのうちのいずれかのバンクを選択するためのバンク選択手段と、
選択されているバンク内の複数のレジストレーションデータのうちのいずれかのレジストレーションデータを選択するためのレジストレーションデータ選択手段とを備えた電子楽器において、
前記複数のバンクのうちの一部のバンクを書き換え不能であってレジストレーションデータのユーザによる登録不能なプリセットバンクとして構成し、残りのバンクを書き換え可能であってレジストレーションデータのユーザによる登録可能なユーザ登録バンクとして構成し、さらに、
電源の投入直後に、前記ユーザ登録バンクにレジストレーションデータが登録される前の状態では前記プリセットバンクの一つを自動選択し、かつ前記ユーザ登録バンクにレジストレーションデータが登録された後の状態では登録済みのユーザ登録バンクを自動選択する初期選択手段を設けたたことを特徴とする電子楽器。
【請求項２】
請求項１に記載した電子楽器において、さらに、
選択されたバンクに含まれる複数のレジストレーションデータの登録状況を表示するための表示手段であって、前記プリセットバンクに関しては最初からレジストレーションデータが登録済みである旨を表示し、前記ユーザ登録バンクに関しては最初にはレジストレーションデータが未登録である旨を表示し、レジストレーションデータの登録後にはレジストレーションデータが登録済みである旨の表示に変更する表示手段を設けたことを特徴とする電子楽器。
【請求項３】
請求項１または２に記載した電子楽器において、さらに、
前記ユーザ登録バンクが選択された状態でレジストレーションデータの登録指示があるとレジストレーションデータを登録し、かつプリセットバンクが選択された状態でレジストレーションデータの登録指示があった場合には警告を発するレジストレーションデータ登録手段を設けたことを特徴とする電子楽器。
【請求項４】
請求項３に記載した電子楽器において、さらに、
前記プリセットバンクが選択された状態でレジストレーションデータの登録指示があった場合に、前記ユーザ登録バンクへ自動的に切換える切換え手段を設けたことを特徴とする電子楽器。
【発明の詳細な説明】
【技術分野】
【０００１】
本発明は、レジストレーションデータを記憶する電子楽器に関する。
【背景技術】
【０００２】
従来から、電子楽器においては、楽音の音色、音量、効果などを同時に制御するために、複数のパネル操作子の組み合わせからなるパネル設定状態をレジストレーションデータとして登録しておき、操作子の操作によりこれを読み出して瞬時にパネル設定を復元する機能が知られている（下記特許文献１参照）。特に、複数のバンクを設け、各バンクに複数のレジストレーションデータを記憶した電子楽器もある。そして、この電子楽器においては、バンク選択操作子を用いていずれかのバンクを選択し、選択されているバンクに属する複数のレジストレーションデータの中から１つのレジストレーションをレジストレーション選択操作子により選択するようになっている。
【特許文献１】特開平７−３１９４６６号公報
【０００３】
このようなレジストレーションデータは、一般的には、ユーザによるパネル設定状態を登録しておくものである。しかし、ユーザが電子楽器を購入した時点でレジストレーションデータが全く登録されていない状態であると、ユーザがレジストレーションデータ選択操作子を操作しても電子楽器がなんの反応もしないということが起こり得る。そのため、電子楽器が故障していると思わせないためにも、一部の電子楽器においてはプリセットのレジストレーションデータを予め登録しておくようにしている。
【０００４】
しかし、プリセットのレジストレーションデータを予め登録しておくようにした電子楽器においては、ユーザが自分で行った設定をプリセットのレジストレーションデータに上書きしてしまうと、プリセットのレジストレーションデータが使えなくなってしまう。ファクトリーリセット機能により元の状態(プリセットのレジストレーションデータが登録された状態)に戻すこともできるが、この場合には、自分が登録したレジストレーションデータが消去されてしまうという問題がある。
【発明の開示】
【０００５】
本発明は、上記問題に対処するためになされたもので、その目的は、プリセットのレジストレーションデータとユーザが登録したレジストレーションデータのいずれもユーザによって選択できるようにした電子楽器を提供することにある。また、レジストレーションデータの選択、登録時にユーザが迷わないで簡単に操作できるようにした電子楽器を提供することにもある。
【０００６】
上記目的を達成するために、本発明の特徴は、複数のバンクを有し、各バンクに複数のレジストレーションデータをそれぞれ記憶したレジストレーションデータ記憶手段と、複数のバンクのうちのいずれかのバンクを選択するためのバンク選択手段と、選択されているバンク内の複数のレジストレーションデータのうちのいずれかのレジストレーションデータを選択するためのレジストレーションデータ選択手段とを備えた電子楽器において、複数のバンクのうちの一部のバンクを書き換え不能であってレジストレーションデータのユーザによる登録不能なプリセットバンクとして構成し、残りのバンクを書き換え可能であってレジストレーションデータのユーザによる登録可能なユーザ登録バンクとして構成し、さらに、電源の投入直後に、ユーザ登録バンクにレジストレーションデータが登録される前の状態ではプリセットバンクの一つを自動選択し、かつユーザ登録バンクにレジストレーションデータが登録された後の状態では登録済みのユーザ登録バンクを自動選択する初期選択手段を設けたたことにある。
これにより、プリセットのレジストレーションデータが消去されることなく、ユーザ登録によるレジストレーションデータと共存させることが可能となる。また、プリセットのレジストレーションデータとユーザ登録によるレジストレーションデータのいずれも、ユーザが選択できるようにもなる。また、電源投入直後には、ユーザ登録バンクにレジストレーションデータが登録される前の状態であればプリセットバンクの一つが自動選択され、かつユーザ登録バンクにレジストレーションデータが登録された後の状態であれば登録済みのユーザ登録バンクが自動選択される。したがって、電源投入直後に、レジストレーションデータが未登録であるユーザ登録バンクが選択されることがなくなり、例えば販売店の店頭などでユーザが電子楽器を動作させる際に、レジストレーションデータの選択操作をしたにも関わらず、電子楽器に何の反応も起こらないといった不都合を防止できる。
【０００７】
また、本発明の他の特徴は、さらに、選択されたバンクに含まれる複数のレジストレーションデータの登録状況を表示するための表示手段であって、プリセットバンクに関しては最初からレジストレーションデータが登録済みである旨を表示し、ユーザ登録バンクに関しては最初にはレジストレーションデータが未登録である旨を表示し、レジストレーションデータの登録後にはレジストレーションデータが登録済みである旨の表示に変更する表示手段を設けたことにある。
これにより、ユーザ登録バンクを選択した際に、ユーザ登録バンクにレジストレーションデータが登録されているか否かが分かるとともに、プリセットバンクを選択した際にはレジストレーションデータが登録(すなわちプリセット)されていることを確認できるので、ユーザが混乱しない。言い換えれば、仮に、プリセットバンクに関して何の表示もしないとすると、プリセットバンクにレジストレーションデータが登録されていないために表示がないのか、ユーザ登録バンクとは異なるために表示がないのか、区別がつかず、ユーザが混乱することが予想される。
【０００８】
また、本発明の他の特徴は、ユーザ登録バンクが選択された状態でレジストレーションデータの登録指示があるとレジストレーションデータを登録し、かつプリセットバンクが選択された状態でレジストレーションデータの登録指示があった場合には警告を発するレジストレーションデータ登録手段を設けたことにある。
これにより、ユーザ登録バンクを選択しているつもりでも、誤ってプリセットバンクを選択してしまった場合には、ユーザはこの誤った選択を簡単に認識できる。
【０００９】
さらに、本発明の他の特徴は、プリセットバンクが選択された状態でレジストレーションデータの登録指示があった場合に、ユーザ登録バンクへ自動的に切換える切換え手段を設けたことにある。
これにより、プリセットバンクが選択された状態でレジストレーションデータの登録指示があれば、ユーザ登録バンクに自動的に切換えられる。
【００１０】
さらに、本発明の実施にあたっては、電子楽器装置の発明に限定されることなく、同装置に適用されるコンピュータプログラムおよび方法の発明としても実施し得るものである。
【発明を実施するための最良の形態】
【００１１】
以下、本発明の一実施形態について図面を用いて説明する。図1は、本発明に係る電子楽器を概略的に示すブロック図である。この電子楽器は、演奏操作子群１１、設定操作子群１２、表示器１３および音源回路１４を備えている。
【００１２】
演奏操作子群１１は、演奏者によって操作されてそれぞれ発生楽音の音高を指定するもので、例えば複数の鍵からなる鍵盤である。演奏操作子群１１の操作は、バス２０に接続された検出回路１５によって検出される。設定操作子群１２は、この電子楽器の操作パネル上に設けられ、演奏者によって操作されて電子楽器の各部の動作を指示、特に楽音の発生態様（音量、音色、効果など）およびレジストレーションデータに関して指示する。特に、設定操作子群１２の中には、発生楽音の音量、音色、効果などを設定する設定操作子、インクレメント操作子、デクレメント操作子およびテンキー操作子に加えて、図２に示すように、レジストレーションデータの登録を指示するための登録操作子１２ａ、詳しくは後述するバンクを選択するためのバンク選択操作子１２ｂ、およびバンク内のレジストレーションデータを選択するための複数（本実施形態では４個）のレジストレーションデータ選択操作子１２ｃが含まれる。設定操作子群１２の操作は、バス２０に接続された検出回路１６によって検出される。
【００１３】
表示器１３は、操作パネル上に設けられた液晶ディスプレイ、ＣＲＴなどで構成され、文字、数字、図形などを表示する。この表示器１３の表示内容は、バス２０に接続された表示制御回路１７によって制御される。特に、この表示器１３には、詳しくは後述するが、図２に示すように、レジストレーションデータの選択画面が表示される。
【００１４】
音源回路１４は、バス２０に接続されていて、後述するＣＰＵ３１の制御のもとに供給される演奏データおよび各種楽音制御パラメータに基づいてディジタル楽音信号を生成して、生成したディジタル楽音信号を効果回路１８を介してサウンドシステム１９に出力する。効果回路１８は、ＣＰＵ２１の制御のもとに、ディジタル楽音信号にコーラス、リバーブなどの各種効果を付与して出力する。サウンドシステム１９は、Ｄ／Ａ変換器、アンプおよびスピーカなどからなり、供給されるディジタル楽音信号に対応した楽音を放音する。
【００１５】
また、この電子楽器は、バス２０にそれぞれ接続されていてマイクロコンピュータ本体部を構成するＣＰＵ３１、タイマ３２、ＲＯＭ３３およびＲＡＭ３４を備えているとともに、外部記憶装置３５、ＭＩＤＩインターフェース回路３６および通信インターフェース回路３７も備えている。外部記憶装置３５は、この電子楽器に予め組み込まれているハードディスクＨＤおよびフラッシュメモリ、同電子楽器に装着可能なコンパクトディスクＣＤおよびフレキシブルディスクＦＤなどの種々の記録媒体と、同各記録媒体に対するドライブユニットを含むものであり、後述するデータおよびプログラムの記憶及び読出しを可能にしている。これらのデータおよびプログラムは予め外部記憶装置３５に記憶されていてもよいし、ＭＩＤＩインターフェース回路３６および通信インターフェース回路３７を介して外部から取り込んでもよい。なお、ＲＯＭ３３にも各種データおよびプログラムは予め記憶されているとともに、ＲＡＭ３４にも、電子楽器の動作制御時には、各種データおよびプログラムが、ＲＯＭ３３または外部記憶装置３５から転送記憶されるようになっている。
【００１６】
ここで、本発明に直接関係するレジストレーションデータの記憶態様について説明しておく。外部記憶装置３５（またはＲＯＭ３３および外部記憶装置３５）には、レジストレーションデータを記憶するための不揮発性の記憶エリアが設けられている。本実施形態においては、この記憶エリアには、ユーザ登録バンクとして複数のバンク１〜４（図３(Ａ)参照）が設けられているとともに、プリセットバンクとしてバンク５〜８（図３(Ｂ)参照）が設けられている。ユーザ登録バンクは、外部記憶装置３５内に書き換え可能に設けられている。プリセットバンクは、書き換え不能なバンクであり、物理的に書き換え不能なＲＯＭ３３内に設けられるか、外部記憶装置３５内にソフト的に書き換え不能に設定されて設けられている。
【００１７】
バンク１〜８のそれぞれには、本実施形態では４つのレジストレーションデータ１〜４が記憶されている。各レジストレーションデータ１〜４は、発生楽音の音色を設定するための音色設定データ、発生楽音の音量を設定するための音量設定データ、発生楽音の効果を設定するための効果設定データおよび発生楽音のその他の要素を設定するためのその他設定データからそれぞれなる。そして、ユーザ登録バンク（バンク１〜４）内のレジストレーションデータは、演奏者（ユーザ）による設定操作子群１２の操作により設定登録される。プリセットバンク（バンク５〜８）内のレジストレーションデータは、工場出荷時にＲＯＭ３３または外部記憶装置３５に予め記憶されている。
【００１８】
ＭＩＤＩインターフェース回路３５は、他の電子楽器、パーソナルコンピュータなどのＭＩＤＩ対応の外部機器４１に接続可能となっていて、この電子楽器が外部機器４１と各種プログラム及びデータを交信可能となっている。通信インターフェース回路３７は、インターネットなどの通信ネットワーク４２を介してサーバコンピュータ４３に接続可能となっていて、この電子楽器が各種プログラム及びデータをサーバコンピュータ４３から受信し、またはサーバコンピュータ４３に送信できるようになっている。
【００１９】
次に、上記のように構成した電子楽器の動作について説明する。ユーザが電子楽器の図示しない電源スイッチをオン操作すると、ＣＰＵ３１は、図４に示すプログラムの実行を開始し、ステップＳ１１にて初期設定処理を実行する。この初期設定処理においては、プリセットバンクであるバンク５〜８のうちのいずれか一つ、例えばバンク５を選択する。そして、表示器１３に、図２に示すように、バンク番号（例えば「５」）およびレジストレーションデータ番号（本実施形態では「１」〜「４」）を「REGISTRATION」および「BANK」の文字と共に表示するとともに、それらの登録状況マークを表示する。この場合、登録状況マークとして、登録を表す前記レジストレーションデータ番号１〜４を囲む四角形枠が表示される。また、この表示器１３には、表示されているバンク番号によって表されたバンクがプリセットバンクであることを表す文字「PRESET」も合わせて表示される。
【００２０】
前記ステップＳ１１の処理後、ＣＰＵ３１は、ステップＳ１２〜Ｓ２２からなる循環処理を繰り返し実行して、バンク選択操作子１２ｂ、レジストレーションデータ選択操作子１２ｃおよび登録操作子１２ａの操作に応じた処理が実行されるとともに、その他の設定操作子群１２および演奏操作子群１１の操作に応じた処理が実行される。バンク選択操作子１２ｂが操作された場合には、ＣＰＵ３１は、ステップＳ１２にて「Ｙｅｓ」と判定してステップＳ１３のバンクの選択処理を実行する。バンクの選択処理においては、演奏者（ユーザ）は、バンク選択操作子１２ｂをオン操作した状態で、インクレメント操作子、デクレメント操作子またはテンキー操作子を操作して、バンク番号を選択指示する。あるいは、バンク選択操作子１２ｂのオン操作ごとに、バンク番号をインクレメントまたはデクレメントして、バンク番号を選択指示するようにしてもよい。
【００２１】
この操作に応答して、ステップＳ１３においては、表示器１３に、選択されたバンク番号およびレジストレーションデータ番号（本実施形態では「１」〜「４」）を「REGISTRATION」および「BANK」の文字と共に表示するとともに、それらの登録状況マーク（四角形枠）を表示する。また、表示されているバンク番号によって表されたバンクがユーザ登録バンクであれば、この表示器１３には、ユーザ登録バンクであることを表す文字「USER」も合わせて表示される。
【００２２】
図５は、工場出荷時におけるレジストレーションデータの登録状況と表示されるマークを表している。すなわち、この状態では、ユーザ登録バンクであるバンク１〜４は全て未登録であり、バンク１〜４のいずれかが選択されると、選択されたバンク番号およびレジストレーションデータ番号（本実施形態では「１」〜「４」）が、「REGISTRATION」、「BANK」および「USER」の文字と共に表示される。なお、この場合には、登録状況マーク（四角形枠）は表示されない。また、バンク５〜８のいずれかが選択されると、選択されたバンク番号およびレジストレーションデータ番号（本実施形態では「１」〜「４」）が、「REGISTRATION」、「BANK」および「USER」の文字と共に表示される。また、この場合には、登録状況マーク（四角形枠）も表示される。図６は、ユーザによるレジストレーションデータ登録後におけるレジストレーションデータの登録状況と表示されるマークを表している。すなわち、この状態では、バンク１〜４のいずれかが選択されると、前述した図５の表示に加えて、ユーザ登録済みのレジストレーションデータに関して、登録状況マーク（四角形枠）も表示される。なお、バンク５〜８のいずれかが選択された場合には、前述した図５の場合と同じである。
【００２３】
４つのレジストレーションデータ選択操作子１２ｃのいずれかがオン操作されると、ＣＰＵ３１は、ステップＳ１４にて「Ｙｅｓ」と判定して、ステップＳ１５〜Ｓ１７からなるレジストレーションデータ設定処理を実行する。このレジストレーションデータ設定処理においては、ステップＳ１５にて、ＲＯＭ３３または外部記憶装置３５内のレジストレーションデータの記憶エリアが検索されて、ステップＳ１１またはステップＳ１３の処理によって選択されているバンク内であって、オン操作されたレジストレーションデータ選択操作子１２ｃに対応したレジストレーションデータすなわち選択されたレジストレーションデータが登録済みであるか否かが判定される。そして、選択されたレジストレーションデータが登録済みであれば、ステップＳ１６にて、同選択されたレジストレーションデータをＲＯＭ３３または外部記憶装置３５から読み出して、ＲＡＭ３４に設けたレジストレーションデータ記憶エリアに記憶する。そして、このＲＡＭ３４内に記憶されたレジストレーションデータは、後述する楽音信号の発生処理に利用される。一方、選択されたレジストレーションデータが登録済みでなければ、ステップＳ１７にて、レジストレーションデータが未登録である旨を表示器１３に表示することにより、演奏者に警告する。また、この警告においては、表示器１３による表示に代えまたは加えて、ブザー音のような音声による警告も採用できる。
【００２４】
登録操作子１２ａが操作された場合には、ＣＰＵ３１は、ステップＳ１８〜Ｓ２１からなるレジストレーションデータの登録処理を実行する。このレジストレーションデータの登録処理においては、演奏者（ユーザ）は、操作パネル上に設けられた音色、音量、効果などの楽音発生態様を指定するための設定操作子群１２を操作して、発生楽音に関するパネル設定状態を決定した後、登録操作子１２ａをオン操作した状態で、４つのレジストレーションデータ選択操作子１２ｃのいずれか１つをオン操作する。なお、登録操作方法（操作の仕方）に関しては、他の方法でもよく、例えば、登録操作子１２ａをオン操作した状態でテンキー操作子の操作によりレジストレーションデータのいずれかの番号を指定するようにしてもよい。
【００２５】
このような操作に応答して、ステップＳ１９においては、前記ステップＳ１１またはステップＳ１３の処理によって現在選択されているバンクがユーザ登録バンクすなわちバンク１〜４であるかを判定する。現在選択されているバンクがバンク１〜４のいずれかであれば、ステップＳ２０にて、現在のパネル設定状態を、現在選択されているバンクであって、レジストレーションデータ選択操作子１２ｃのオン操作によって選択されたレジストレーションデータとして外部記憶装置３５に書き込む。言い換えれば、外部記憶装置３５内のレジストレーションデータ記憶エリア内であって、現在選択されているバンクおよびレジストレーションデータに対応した記憶位置に、パネル設定状態を表すデータを上書きする。一方、現在選択されているバンクがバンク１〜４のいずれでもなければ、ステップＳ２１にて、現在選択されているバンクはプリセットバンクであって、レジストレーションデータの登録が不能である旨を表示器１３に表示することにより、演奏者（ユーザ）に警告する。また、この警告においても、表示器１３による表示に代えまたは加えて、ブザー音のような音声による警告も採用できる。
【００２６】
演奏操作子群１１が操作されると、ステップＳ２２のその他の処理において、演奏操作子群１１の操作に応じた楽音信号の発生が制御される。具体的には、演奏操作子群１１の操作を表す演奏データが音源回路１４に供給され、同演奏データに対応したディジタル楽音信号が生成され、効果回路１８にてこのディジタル楽音信号に効果が付与される。そして、この効果の付与されたディジタル楽音信号に対応した楽音がサウンドシステム１９から放音される。このようなディジタル楽音信号の生成および効果の付与においては、前記ステップＳ１６の処理によりＲＡＭ３４内に書き込んだレジストレーションデータを利用できる。また、このレジストレーションデータではなく、操作パネルのパネル設定状態に応じて、前記ディジタル楽音信号の生成および効果の付与を制御するようにしてもよい。また、このステップＳ２２のその他の処理においては、レジストレーション用の前記設定操作子１２ａ〜１２ｃ以外の設定操作子の操作に応じて、電子楽器の各種動作が制御される。
【００２７】
上記作動説明からも理解できるとおり、ユーザ登録バンクとして書き換え可能なバンク１〜４とプリセットバンクとして書き換え不能なバンク５〜８を設けて、バンク５〜８のそれぞれには電子楽器の工場出荷時に予めレジストレーションデータをそれぞれ記憶しておき、バンク１〜４のそれぞれには、ステップＳ１８〜Ｓ２０の処理により、ユーザによるパネル設定状態を表す複数のレジストレーションデータを記憶するようにした。そして、ステップＳ１２〜Ｓ１６の処理により、バンク１〜８のいずれかを選択するとともに、選択されたバンク内のレジストレーションデータ１〜４のいずれかを選択するようにした。その結果、プリセットのレジストレーションデータが消去されることなく、ユーザ登録によるレジストレーションデータと共存させることが可能になるとともに、プリセットのレジストレーションデータとユーザ登録によるレジストレーションデータのいずれも、ユーザが選択できるようにもなる。
【００２８】
また、上記実施形態によれば、ステップＳ１１の処理により、電源の投入直後にはプリセットバンクの一つが自動的に選択される。その結果、電源投入直後には、レジストレーションデータが未登録であるユーザ登録バンクが選択されることがなくなり、例えば販売店の店頭などでユーザが電子楽器を動作させる際に、レジストレーションデータの選択操作をしたにも関わらず、電子楽器に何の反応も起こらないといった不都合を防止できる。
【００２９】
また、上記実施形態によれば、ステップＳ１３の処理により、選択されたバンクに含まれる複数のレジストレーションデータの登録状況が表示される。具体的には、プリセットバンクに関しては最初からレジストレーションデータが登録済みである旨が表示され、ユーザ登録バンクに関しては最初にはレジストレーションデータが未登録である旨が表示され、レジストレーションデータの登録後には同レジストレーションデータが登録済みである旨が表示される。したがって、ユーザ登録バンクを選択した際に、ユーザ登録バンクにレジストレーションデータが登録されているか否かが分かるとともに、プリセットバンクを選択した際にはレジストレーションデータが登録(すなわちプリセット)されていることを確認できるので、ユーザが混乱しない。
【００３０】
また、上記実施形態によれば、ステップＳ１９〜Ｓ２１の処理により、ユーザ登録バンクが選択された状態でレジストレーションデータの登録指示があるとレジストレーションデータが登録され、かつプリセットバンクが選択された状態でレジストレーションデータの登録指示があった場合には警告が発せられる。したがって、ユーザ登録バンクを選択しているつもりでも、誤ってプリセットバンクを選択してしまった場合には、ユーザはこの誤った選択を簡単に認識できる。
【００３１】
さらに、本発明の実施にあたっては、上記実施形態に限定されるものではなく、本発明の目的を逸脱しない限りにおいて種々の変更が可能である。
【００３２】
上記実施形態においては、プリセットバンク（バンク５〜８）を選択している状態でレジストレーションデータを登録しようとした場合、警告が発せられるようにした。しかし、これに加えて、ユーザ登録バンクへの自動切換え、またはユーザ登録バンクへの切換の示唆(例えば、「ユーザバンクへ切換えますか？」などの質問の表示)をしてもよい。
【００３３】
また、上記実施形態では、登録状況表示マークとしてレジストレーション番号を囲む四角形枠を採用したが、これ以外のマークを採用してもよい。また、プリセットバンクのレジストレーションデータとユーザ登録バンクのレジストレーションデータとで異なるマークを採用してもよい。
【００３４】
また、バンクの数及びバンク内のレジストレーションデータの数に関しては、上記実施形態に例示したものに限らない。さらに、ユーザ登録バンクとして複数種類のバンクを用意するようにしてもよい。例えば、外部記憶装置３５に含まれる記録媒体ごとに、内蔵バンク、外部バンクなどのように複数のバンクに分けてもよい。そして、この場合、登録状況表示マークもバンクの種類ごとに異なるマークとしてもよい。
【００３５】
また、上記実施形態では、電源投入後に自動選択されるバンクは、プリセットバンクのいずれか固定のバンク（バンク５）としたが、この自動選択されるバンクをプリセットバンクの中からユーザがいずれかを選択できるようにしてもよい。また、ユーザ登録バンクにレジストレーションデータが登録された後は、プリセットバンクではなく登録済みのユーザ登録バンクを自動選択するようにしてもよい。
【００３６】
さらに、上記実施形態においては、演奏操作子群１１として鍵盤を採用した電子楽器に本発明を適用したが、鍵に代えて、単なる押圧スイッチ、タッチスイッチなどを音高を指定する演奏操作子を採用した電子楽器に適用してもよい。特に、本発明は、電子楽器の形態を問わず、電子弦楽器、電子管楽器などの電子楽器にも適用され得る。
【図面の簡単な説明】
【００３７】
【図１】本発明の一実施形態に係る電子楽器の全体ブロック図である。
【図２】前記電子楽器の操作パネル上に設けた表示器の表示状態および一部の設定操作子を示す概略図である。
【図３】(Ａ)はユーザ登録バンク内のデータフォーマット図であり、(Ｂ)はプリセットバンクのデータフォーマット図である。
【図４】前記電子楽器にて実行されるプログラムのフローチャートである。
【図５】前記電子楽器の工場出荷時におけるレジストレーションデータの登録状況と表示されるマークを説明するための図である。
【図６】前記電子楽器においてユーザによるレジストレーションデータ登録後におけるレジストレーションデータの登録状況と表示されるマークを説明するための図である。
【符号の説明】
【００３８】
１１…演奏操作子群、１２…設定操作子群、１２ａ…登録操作子、１２ｂ…バンク選択操作子、１２ｃ…レジストレーションデータ選択操作子、１３…表示器、１４…音源回路、１８…効果回路、３１…ＣＰＵ、３３…ＲＯＭ、３５…外部記憶装置
【図１】
0004674509.tif 000002
【図２】
0004674509.tif 000003
【図３】
0004674509.tif 000004
【図４】
0004674509.tif 000005
【図５】
0004674509.tif 000006
【図６】
0004674509.tif 000007